(57)【要約】【課題】頭髪への着脱が容易で位置ずれを起すことがなく、髪を乱したり髪に後癖を付けたりする恐れもなくす。【解決手段】頭髪に差し込む細長い差込部１０と、その後部側に取り付けられた飾り部材２０とを備え、差込部１０が、細長い平板状の第１の差込片１１と第２の差込片１２からなる。第２の差込片１２は第１の差込片１１より短く、第１の差込片１１の対向する面１１aに密着し得る平面１２ａを有する。その第１の差込片１１と第２の差込片１２の互いに後部側を回動連結部３０によって回動可能に連結し、バネによって第２の差込片１２の平面１２ａが第１の差込片１１の対向する面１１ａに密着する方向の回動力を与える。その第２の差込片１２に、その回動連結部３０の前後に亘る部分の上面を覆うように主飾り部材２１を取り付け、第１の差込片１１の回動連結部３０の後方部分に、飾り片２２を第２の差込片１２の後端より後方へ延びるように取り付ける。【選択図】        図２
2013070936.tif 000002
【特許請求の範囲】
【請求項１】
頭髪に差し込む細長い差込部と、その差込部の後部側に取り付けられた飾り部材とを備えたかんざしにおいて、
上記差込部が、細長い平板状の第１の差込片と、該第１の差込片より短かく所定の長さに亘って該第１の差込片の対向する面に密着し得る平面を有する第２の差込片と、
前記第１の差込片と前記第２の差込片の互いに後部側を、前記平面が前記対向する面に対して密着及び離間するように回動可能に連結する回動連結部と、
前記第１の差込片と前記第２の差込片とに、前記平面が前記対向する面に密着する方向の回動力を与えるバネとを有し、
前記第２の差込片に、その前記回動連結部の前後に亘る部分の上面を覆うように前記飾り部材を取り付け、前記第１の差込片の前記回動連結部の後方部分に、前記飾り部材の一部をなす飾り片を、前記第２の差込片の後端より後方へ延びるように取り付けたことを特徴とするかんざし。
【請求項２】
前記第２の差込片の前記平面に、ゴム等の滑り止め材を被覆したことを特徴とする請求項１に記載のかんざし。
【請求項３】
前記第２の差込片の前記平面に、粗面加工等の滑り止め加工を施したことを特徴とする請求項１に記載のかんざし。
【請求項４】
前記第１の差込片と前記第２の差込片は弾性を有する金属によって形成されていることを特徴とする請求項１から３のいずれか一項に記載のかんざし。
【発明の詳細な説明】
【技術分野】
【０００１】
この発明は、地毛又はかつらによる日本髪や洋髪などの頭髪に装着する髪飾りであるかんざし（簪）に関する。
【背景技術】
【０００２】
婚礼における花嫁の髪型として人気が高い文金高島田などの日本髪（一般にはかつらが使用される）には、前髪とびん（鬢）の間に差し込む前差し、まげ（髷）の下側に差し込む中差し、たぼ（髱）とびん（鬢）の間に差し込む後差し等、華麗な細工が施された各種の飾り部材を取り付けたかんざしが装着される。
それ以外の各種の日本髪あるいは洋髪にも、種々のかんざし（簪）が使用されている。
【０００３】
このようなかんざしは、一般に頭髪へ差し込んで保持させるための細長い差込部と、その後端部側に取り付けられた飾り部材とによって構成されている。
その差込部は、一般に一本又は複数本に分かれた細い棒（ピン）状や細片状などの部材であり、結った髪に差し込んだときの頭髪との摩擦力だけでかんざしを保持していた。
そのため、かんざしを装着できるのが、髪を強く結った部分（かつらを含む）に限られ、それでも装着した人が動いている間に、かんざしの位置がずれてくる恐れがあった。
【０００４】
そこで、例えば特許文献１に見られるように、かんざしの差込部（足部材と称している）を、弾性を有する枠部その枠部と後端部側で接合された舌状部とからなる髪クリップとし、髪に差し込んだ状態で、その枠部と舌状部との間に髪を挟み込むようにしたものが提案されている。
【先行技術文献】
【特許文献】
【０００５】
【特許文献１】特開２００３−９９３５号公報
【発明の概要】
【発明が解決しようとする課題】
【０００６】
しかしながら、この特許文献１に開示された髪クリップは、弾性を有する板バネによる枠部の湾曲形状を反転させて、舌状部に対して開いた状態と閉じた状態の一方から他方へ変換する必要がある。そのため、かんざしの足部材と称する髪クリップを頭髪に差し込んだ状態で、頭髪内に指を入れて枠部の湾曲を反転させる操作をしなければならず、かんざしを着脱する際の操作性が悪いばかりか、調えた髪を指で乱してしまう恐れがあった。
また、髪の毛を絡めるようにして強く挟み込むため、髪に後癖を付けてしまう恐れもあった。
【０００７】
この発明は、上記のような問題を解決するためになされたものであり、頭髪への着脱が容易で、髪を乱したり髪に後癖を付けたりする恐れもなく、髪に装着した後、位置ずれを起すことがないかんざしを提供することを目的とする。
【課題を解決するための手段】
【０００８】
この発明は上記の目的を達成するため、頭髪に差し込む細長い差込部と、その差込部の後部側に取り付けられた飾り部材とを備えたかんざしにおいて、
上記差込部が、細長い平板状の第１の差込片と、該第１の差込片より短かく所定の長さに亘ってその第１の差込片の対向する面に密着し得る平面を有する第２の差込片と、その第１の差込片と前記第２の差込片の互いに後部側を上記平面が上記対向する面に対して密着及び離間するように回動可能に連結する回動連結部と、上記第１の差込片と第２の差込片とに、上記平面が上記対向する面に密着する方向の回動力を与えるバネとを有し、上記第２の差込片に、その回動連結部の前後に亘る部分の上面を覆うように上記飾り部材を取り付け、上記第１の差込片の上記回動連結部の後方部分に、上記飾り部材の一部をなす飾り片を、上記第２の差込片の後端より後方へ延びるように取り付けたものである。
【０００９】
上記第２の差込片の上記平面には、ゴム等の滑り止め材を被覆するとよい。あるいは粗面加工等の滑り止め加工を施してもよい。
また、上記第１の差込片と第２の差込片は弾性を有する金属によって形成するのが望ましい。
【発明の効果】
【００１０】
この発明によるかんざしは、上記差込部を、上記第１の差込片と第２の差込片の後端部を飾り部材と共に指で摘んで、上記平面が上記一方の面から離間するように回動させて、第１の差込片から頭髪の所望の位置に差し込んだ後指を離せば、上記バネの復元力によって平板状の第１の差込片と第２の差込片とが上記一方の面と上記平面とが密着するように回動し、その両平面間に髪を挟んで保持される。
したがって、頭髪への着脱が容易で、髪を乱したり髪に後癖を付けたりする恐れもなく、髪に挿着した後、位置ずれを起すこともない。
【図面の簡単な説明】
【００１１】
【図１】この発明によるかんざしの一実施例を示す斜視図である。
【図２】同じくその左右を反転して第１の差込片と前記第２の差込片を開いた状態に回動させて示す側面図である。
【図３】図２における回動連結部３０の軸に沿った拡大縦断面図である。
【図４】日本髪かつらにこの発明によるかんざしを挿着した状態の一例を示す斜視図である。
【発明を実施するための形態】
【００１２】
以下、この発明を実施するための形態を図面に基づいて具体的に説明する。
図１はこの発明によるかんざしの一実施例を示す斜視図であり、図２はその左右を反転して、第１の差込片と前記第２の差込片を開いた状態で示す側面図である。
このかんざし１は、頭髪に差し込む細長い差込部１０と、その差込部１０の後部側に取り付けられた飾り部材２０とを備えている。
【００１３】
差込部１０は、細長い平板状で先端部を先細り形状にした第１の差込片１１と、同様に細長い平板状で先端部を先細り形状にした第２の差込片１２とを有する。第２の差込片１２は第１の差込片１１より短く（例えば１／２程度の長さ）、その先端部側の同じく所定の長さに亘って、第１の差込片１１の対向する面１１ａに密着し得る平面１２ａを有する。
例えば、第１、第２の差込片１１，１２を共に厚さ１ｍｍ程度の真鍮板で幅５ｍｍ程度に形成し、第１の差込片１１の長さを１００ｍｍ程度、第２の差込片１２の長さを５０ｍｍ程度する。
【００１４】
その第１の差込片１１と第２の差込片１２の互いに後部側を、第２の差込片１２の平面１２ａが第１の差込片１１の対向する面１１ａに対して密着及び離間するように、回動連結部（ジョイント部）３０によって図２に矢示Ａ，Ｂで示すように回動可能に連結している。
その回動連結部３０は、第１の差込片１１と第２の差込片１２のそれぞれ後部側に、図３に示すように互いに対向して重なり合うように設けられた一対ずつの軸受片３１，３２と、その各軸受片３１，３２を貫通する軸３３とからなる。
【００１５】
そして、第１の差込片１１と第２の差込片１２とに、第２の差込片１２の平面１２ａが第１の差込片１１の対向する面１１ａに密着する方向（図２の矢示Ａ方向）の回動力を与えるバネとしてコイルバネ３５を、軸３３の周りを巻くように設け、その一端３５ａを第１の差込片１１の後端側１１ｂに、他端３５ｂを第２の差込片１２の後端側１２ｂにそれぞれ係止させている。
【００１６】
図３に示した例では、第１の差込片１１側の一対の軸受片３１，３１を、第１の差込片１１に溶接等で固着した支持片１５の両端部に設け、第２の差込片１２側の一対の軸受片３２，３２を、第２の差込片１２に溶接等で固着した支持片１６の両端部に設けている。
そのため、コイルバネ３５の一端３５ａをその支持片１５を介して第１の差込片１１の後端側１１ｂに、他端３５ｂを支持片１６を介して第２の差込片１２の後端側１２ｂにそれぞれ係止させている。
【００１７】
勿論、一対の軸受片３１，３１を第１の差込片１１に直接設け、一対の軸受片３２，３２を第２の差込片１２に直接設けて、コイルバネ３５の一端３５ａと他端３５ｂをそれぞれて第１の差込片１１の後端側１１ｂ及び第２の差込片１２の後端側１２ｂに直接係止させるようにしてもよい。
また、第１の差込片１１と第２の差込片１２とに、第２の差込片１２の平面１２ａが第１の差込片１１の対向する面１１ａに密着する方向の回動力を与えるバネとして、コイルバネ３５に代えてＵ字状の板バネやトーションバネなどを用いてもよい。
【００１８】
さらに、第２の差込片１２に、その回動連結部３０の前後に亘る部分の上面を覆うように、飾り部材２０の主飾り部材２１をねじ止めなどで取り付け、第１の差込片１１の回動連結部３０の後方部分である後端側１１ｂに、飾り部材２０の一部をなす飾り片２２を、第２の差込片１２の後端より後方へ延びるようにねじ止めなどで取り付けている。
この飾り片２２の後端部は、従来の後差し用かんざしの差込部材の後端部と同様に、耳掻き状に形成され、第２の差込片１２側へ湾曲している。そのため、後方の斜め下方から見たときに、この飾り片２２によって第２の差込片１２の後端側１２ｂが隠れる。しかし、飾り片２２はこの形状に限るものではない。
【００１９】
第１、第２の差込片１１，１２及び回動連結部３０は、真鍮やステンレス等の幾分弾性を有する金属で形成し、光沢のない金属などの場合には、美観を高めるために金メッキなどのメッキを施したり、飾り部材２０あるいは頭髪と似た色などの塗装を施したりするとよい。
飾り部材２０の主飾り部材２１と飾り片２２は、べっ甲、珊瑚、貴金属、工芸用木材などで形成し、主飾り部材２１にはさらに宝石や真珠、造花等による装飾を施してもよい。
【００２０】
この実施形態では、第２の差込片１２の平面１２ａに、頭髪の捕捉を確実にするように、ゴム等の摩擦係数の大きい滑り止め材１７を被覆している。この滑り止め材１７に代えて、第２の差込片１２の平面１２ａに、粗面加工等の滑り止め加工を施してもよい。
第１の差込片１１の対向する面１１ａの第２の差込片１２の平面１２ａと対応する部分も、ゴム等の摩擦係数の大きい滑り止め材で被覆したり、粗面加工等の滑り止め加工を施してもよい。
【００２１】
このかんざし１を使用者の頭髪又はかつらに挿着する際には、差込部１０の図２に示す第１の差込片１１の後端から延びる飾り片２２と第２の差込片１２の後端側１２ｂとを、人差し指と親指とでつまんで矢示Ｃ方向に力を加ええると、第２の差込片１２が第１の差込片１１に対して、仮想線で示す閉じた位置から矢示Ｂ方向に回動し、実線で示す開いた位置になる。
その状態で、結った髪の所望の位置へ差込部１０（第１、第２の差込片１１，１２）を差し込むと、第２の差込片１２の平面１２ａと第１の差込片１１の対向する面１１ａとの間にある程度の頭髪が入り込む。
【００２２】
そこで指を離せば、コイルバネ３５の復元力によって第２の差込片１２が矢示Ａ方向に回動して、第１の差込片１１に対して仮想線で示す閉じた位置に戻る。そのとき、第２の差込片１２の平面１２ａと第１の差込片１１の対向する面１１ａとの間に入り込んでいた頭髪が両者によって挟み込まれる。それによって、かんざし１が頭髪に保持される。
図４は、このようにして、日本髪（高島田）かつら２にこの発明によるかんざし１を挿着した状態の一例を、斜め後方から見た図である。この日本髪かつら２は、前髪２ａ、鬢２ｂ、髷２ｃ、および髱２ｄからなり、かんざし１を後差しとして、鬢２ｂと髱２ｄの間の上部に挿着している。
【００２３】
かんざし１を頭髪から取り外すときには、再び飾り片２２と第２の差込片１２の後端側１２ｂとを、人差し指と親指とで挟んでつまんで、第２の差込片１２を第１の差込片１１に対して、図２の実線で示す開いた位置に回動させ、挟んでいた頭髪を開放して引き抜けば、髪を乱すことなく簡単に取り外すことができる。
【００２４】
このように、この発明によるかんざしは、誰でも簡単に頭髪の所望の位置に挿着することができ、頭髪を挟んで確実に保持されるので、動いてもずれたり抜け落ちたりする恐れがない。そして、調えた髪を指で乱してしまう恐れがなく、頭髪は第２の差込片１２の平面１２ａと第１の差込片１１の対向する面１１ａ（平面）とによって挟まれるので、髪に後癖が付いたり傷んだりする心配がない。
【００２５】
第２の差込片１２の平面１２ａあるいはさらに第１の差込片１１の対向する面１１ａ（平面）の対応する部分にも、滑り止め材を被覆したり滑り止め加工を施してあれば、一層確実に髪の毛を補足できるので、かんざしの保持がより確実になる。
差込部１０の第１の差込片１１と第２の差込片１２の頭髪に挿入されない部分は、飾り部材２０の主飾り部材２１と飾り片２２とによって殆ど隠されて外部から見えないので、かんざしの装飾性を損なうことはない。
【産業上の利用可能性】
【００２６】
この発明によるかんざしは、日本髪（かつらを含む）の後差しかんざしに最適であるが、飾り部材の形状や取り付け位置などを工夫すれば、中差しや前差しにも利用可能である。また、洋髪用のかんざしにも利用可能である。
差込部の第１の差込片と第２の差込片の幅と長さ及び板厚や材質などは、用途に応じて適宜変更すればよい。飾り部材の形状や大きさ、色や材質なども用途に応じて種々変更すればよい。
【符号の説明】
【００２７】
１：かんざし      ２：日本髪かつら      ２ａ：前髪      ２ｂ：鬢
２ｃ：髷      ２ｄ：髱      １０：第１の差込片の対向する面      
１１ｂ：第１の差込片の後端側      １２：第２の差込片      
１２ａ：第２の差込片の平面      １２ｂ：第２の差込片の後端側      
１５，１６：支持片      １７：滑り止め材      ２０：飾り部材    
２１：主飾り部材      ２２：飾り片      ３０：回動連結部      
３１，３２：軸受片      ３３：軸      ３５：コイルバネ      
３５ａ：コイルバネの一端      ３５ｂ：コイルバネの他端
【図１】
2013070936.tif 000003
【図２】
2013070936.tif 000004
【図３】
2013070936.tif 000005
【図４】
2013070936.tif 000006